Podtech/llm-jp-corpus-v4-ja_patent huggingface dataset:
(57)【要約】【課題】  メガネ型の目の健康を促進する商品はメガネのフレームだけに遠赤外線を効果的に与える素材を付加しているだけで量が少なく遠赤外線効果が少ない。また素材が持つ遠赤外線の反射だけの効果であるため安定した効果を与えることが出来ないという問題を解決する。【解決手段】遠赤外線効果が高く導電性のある素材にカーボンナノチューブ、そのカーボンナノチューブに電子制御を加えることと、形状を眼鏡に片側ずつ取り付けられるようにしている。【選択図】図１
2018191751.tif 000002
【特許請求の範囲】
【請求項１】
遠赤外線を発生する導電体をシート状にし目もとに遠赤外線を照射する遠赤外線発生装置。
【請求項２】
上記導電体をカーボンナノチューブを使用して遠赤外線の波長５μｍから１５μｍの分光放射率が0.9以上の特性をもたせたもの。
【請求項３】
上記導電体に電極を設け電子回路を内蔵し電気を流す周期を０から１００Hzまで変更できる機能とその時間を自由に設定できる機能を付加したもの。
【請求項４】
上記シートに目もとを照射する手段としてメガネに固定できる構造を持ち、なおかつ片側ずつ装着できるもの。
【請求項５】
上記シートに目の位置になるところにおよそΦ１の穴を０から１０個作成したもの。
【発明の詳細な説明】
【技術分野】
【０００１】
本発明は導電体を使用した遠赤外線発生装置に関するものである。
【背景技術】
【０００２】
遠赤外線の分光放射率が高い素材は一般的に遠赤外線を効果的に発生するものとして知られている。遠赤外線は健康を高める波長として様々な応用商品が作り出されいて近年、パーソナルコンピューターや携帯電話、スマートフォンなどの日常の必需品による目の疲れやバーチャルリアルティ機器などの最新のテクノロジーを応用した商品も一層目の疲れを助長していることから目の疲れを回復する用品や健康を促進する用品の要求が高まっている。
【０００３】
しかし、遠赤外線を照射する方法として分光放射率の高い天然素材を商品の一部に組み込んだだけだったりスチームなどで温度を遠赤外線に置き換えて使用するものであったりして遠赤外線をコントロールしているものではない。
【先行技術文献】
【特許文献】
【０００４】
【特許文献１】遠赤外線効果を使用して目の健康促進を目的とした商品は存在する。例えば特許文献１にはメガネのフレーム素材に遠赤外線効果のある素材を使用している例がある。特開2008-12238、特開2008-12239
【発明の概要】
【発明が解決しようとする課題】
【０００５】
しかしながら従来のメガネ型の目の健康を促進する商品はメガネのフレームだけに遠赤外線を効果的に与える素材を付加しているだけで量が少なく遠赤外線効果が少ない。また素材が持つ遠赤外線の反射だけの効果であるため安定した効果を与えることが出来ないという問題がある。
【課題を解決するための手段】
【０００６】
本発明に係る目の健康を促進する方法は次のような構成をしている
（１）遠赤外線を発生する導電体をシート状にし目もとに遠赤外線を照射させる事を特徴としている。
（２）（１）記載の発明において、導電体をカーボンナノチューブを使用して遠赤外線の波長５μｍから１５μｍの分光放射率が0.9以上の特性をもつことを特徴とする。
（３）（１）（２）記載の発明において、導電体に電極を設け電子回路を内蔵し電気を流す周期を０から１００Hzまで変更できる機能とその時間を自由に設定できる機能を付加した事を特徴とする。
（４）（１）（２）（３）記載の発明において、シートに目もとを照射する手段としてメガネに固定できる構造を持ち、なおかつ片側ずつ装着できる事を特徴とする。
（５）（１）（２）（３）（４）記載の発明において、目の位置になるところにおよそΦ１の穴を０から１０個作成した事を特徴とする。
【発明の効果】
【０００７】
本発明は、遠赤外線効果を素材そのものの特性だけの効果に頼ることなく、導電性のある遠赤外線素材を使用しているので電子制御で遠赤外線効果をコントロールすることができ健康促進の効果を最適なものにできる利点がある。
【図面の簡単な説明】
【０００８】
【図１】図１は本発明の実施形態である。
【図２】図２はシート部分に穴を開けた場合の実施形態である。
【発明を実施するための形態】
【０００９】
遠赤外線効果が高く導電性のある素材にカーボンナノチューブ、そのカーボンナノチューブに電子制御を加えることと、形状を眼鏡に片側ずつ取り付けられるようにしたことで実現した。
【実施例】
【００１０】
図１は本発明の実施例であって、１は例えば遠赤外線の分光反射率が高く導電性のあるカーボンナノチューブを加えたシートを作成してある。
【００１１】
２は例えば眼鏡に装着するフックとなる。左右別々に作成することにより眼鏡の片側だけを装着することができ、両目を塞ぐことなく使用することができる。
【００１２】
３はバッテリー、４は電子回路となり５の電極を通してカーボンナノチューブに周波数を選択したパルスやそのパルス時間を決めるタイマ等を構築し、それに対応した微弱電流を与えることでカーボンナノチューブそのものの遠赤外線特性ではなく用途にあった効果的な遠赤外線を目もとに与えることができる。
【００１３】
６はシートに穴を開けることで視界を良くしたり、目のトレーニング効果を付加できる。カーボンナノチューブのシートは微弱電流しか流れていないので遠赤外線の効果は穴には影響されることはなく与えることができる。
【産業上の利用可能性】
【００１４】
パーソナルコンピューターや携帯電話、スマートフォンなどの日常の必需品による目の疲れやバーチャルリアルティ機器などの最新のテクノロジーを応用した商品の使用後の目の健康促進に適用できる。また寝不足後の目元の血行促進、ドライアイの原因の１つである涙腺の脂分の軟化にも応用できる。
【符号の説明】
【００１５】
１  カーボンナノチューブシート
２  フック
３  バッテリ
４  電子回路
５  電極
６  穴
【図１】
2018191751.tif 000003
【図２】
2018191751.tif 000004
(57)【要約】【課題】宅配の荷物を届けた時、受取人が不在で、再配達をするというロスを無くす為に、どうしたらいいのかという課題【解決手段】宅配時に荷物を受け取る人が不在で、宅配の荷物を再配達をするというロスを無くする為に、薄くて軽い布製でも、耐刃・耐熱・防水で中の品物が見えない布袋と、番号付きで番号がリセット出来るロックキーを組み合わせて製作した、宅配不在袋という製品を用いて再配達しなくてもすむ様な物を考案しました。【選択図】なし【特許請求の範囲】
【請求項１】
宅配時に不在で再配達するロスを無くする為の、耐刃・耐熱・防水で袋の中の品物が見えない布袋と、番号付きリセットロックキーを組み合わせた宅配不在袋
【発明の詳細な説明】
【技術分野】
【０００１】
本発明は、荷物の宅配時に荷物を受け取る人が居ない時、荷物を再配達しないでも済む宅配不在袋に関するものである。
【先行技術文献】
【特許文献】
【０００２】
【特許文献１】宅配に関する配送不在袋
【発明の概要】
【発明が解決しようとする課題】
【０００３】
解決しようとする点は、宅配時に受け取る人が不在で、宅配の荷物を再配達するロスを無くす為に、受け取る人が居なくても、配達を可能にする事が出来る袋のシステムである。
(57)【要約】      （修正有）【課題】近代的な宇宙船を作る。【解決手段】ＵＦＯの原理で浮き、ホーバーの原理で進み、補助の核融合プラズマで進む。【選択図】図１
2018191494.tif 000002
【特許請求の範囲】
【請求項１】
ＵＦＯの原理で浮いてホーバー（ヘイバー）の原理で進み補助の核融合プラズマロケットで進む
【請求項２】
ＵＦＯの−−−マイナス  マイナス  マイナス  これを電気パネルに組み込んであってあとホーバー（ヘイバー）の−−−＋マイナス  マイナス  マイナス  プラスで時速２００キロ位の速さが出あとは核融合プラズマで速さ６４０ｋｍ位のスピードが出る
【発明の詳細な説明】
【技術分野】
【０００１】ＵＦＯとホーバー（ヘイバー）と核融合プラズマで進む
【背景技術】
【０００２】ＵＦＯ  ヘイバー  シャトル
【先行技術文献】
【特許文献】
【０００３】
【特許文献１】ＵＦＯの原理で浮きホーバー（ヘイバー）のエンジンと核融合プラズマで進む
【特許文献２】
【非特許文献】
【０００４】アメリカのシャトル  ソビエトのシャトルフスキー
【非特許文献１】
【非特許文献２】
【発明の概要】
宇宙船
【発明が解決しようとする課題】
【近代的な宇宙船】
【課題を解決するための手段】
ＵＦＯの原理で浮きホーバー（ヘイバー）のと核融合プラズマで進む
【発明の効果】
【近代的な宇宙船】
【図面の簡単な説明】
【図１】操縦席があり本体ＵＦＯに羽が二つありそれにホーバー（ヘイバーのエンジンが一機ずつつき（２基）垂直尾翼が一つつき船体後部に核融合プラズマが３基ついている
【発明を実施するための形態】
ＵＦＯの原理で本体を持ち上げホーバー（ヘイバー）のエンジンとスピードが出ない所は核融合プラズマでおぎなう
【実施例】なし
【図１】
2018191494.tif 000003
【手続補正書】
【提出日】平成29年6月20日(2017.6.20)
【手続補正１】
【補正対象書類名】明細書
【補正対象項目名】０００４
【補正方法】変更
【補正の内容】
【０００４】
アメリカのシャトル  ソビエトのシャトルフスキー
【非特許文献１】
【非特許文献２】
【発明の概要】
宇宙船
【発明が解決しようとする課題】
【近代的な宇宙船】
【課題を解決するための手段】
ＵＦＯの原理で浮きホーバー（ヘイバー）のと核融合プラズマで進む
【発明の効果】
【近代的な宇宙船】
【図面の簡単な説明】
【図１】操縦席があり本体ＵＦＯに羽が二つありそれにホーバー（ヘイバーのエンジンが一機ずつつき（２基）垂直尾翼が一つつき船体後部に核融合プラズマが３基ついている
【図２】
宇宙船本体ＵＦＯホーバーの下方に核融合プラズマの固体液体水素の燃料タンクをつける
【発明を実施するための形態】
ＵＦＯの原理で本体を持ち上げホーバー（ヘイバー）のエンジンとスピードが出ない所は核融合プラズマでおぎなう
【実施例】
なし
【手続補正２】
【補正対象書類名】図面
【補正対象項目名】図２
【補正方法】追加
【補正の内容】
【図２】
2018191494.tif 000004
(57)【要約】      （修正有）【課題】雨等の水で濡れて、手に持っている電撃槍に漏電しても、感電しない電気槍を提供する。【解決手段】非接地方式では電極Ｂ４を接地しないで、電気槍の先端に出しているので、電気ショックの電流は電極のＡ３・Ｂ４間のみ流れ、他には流れない。非常に人体が感電しにくい安全な構造の電気槍である。【選択図】図２
2018191572.tif 000002
【特許請求の範囲】
【請求項１】
電源部（１）の電撃用電気出力の２本を、そのまま接続線（７）から
電気槍（２）のパイプ部の中を通して先端に出した
電極Ａ（３）・電極Ｂ（４）の構造を有する電撃槍。
【請求項２】
電気槍（２）に、電源部の内部回路の電撃電気を入り切りする
コントロールリレーを制御する、コントロールスイッチ（８）を付けた構造。
【請求項３】
電源部（１）と接続線（７）をコネクターで着脱出来る構造。
【発明の詳細な説明】
【技術分野】
【０００１】
本発明は電気ショックによる害獣を捕獲する電気槍の
構造に関するものである。
【背景技術】
【０００２】
従来は害獣に電気を流す場合、電源の一方の電極を接地して、
もう一方の電極を害獣に当てて電気を流している。
【先行技術文献】
【特許文献】
【０００３】
【特許文献１】不明
【非特許文献】
【０００４】
【非特許文献１】不明
【発明の概要】
【発明が解決しようとする課題】
【０００５】
従来の接地方式は図１に示すように一方の電極Ｂが大地に接地しているので
自分の体も電極に接触した状態である。持っている槍から雨等その他の理由によって
槍に漏電すると、持っている手を通して人体を通り大地に電気が流れて感電する。
図３に人体を通る電気の流れを矢印で示している。
【課題を解決するための手段】
【０００６】
電源部の電極Ｂ（４）を図１のように接地しているのを
本方式では、図２に示すように電気槍先端の電極Ａ（３）・電極Ｂ（４）のように設けている。
手元で操作できるコントロールスイッチを付ける。
コントロールスイッチからの信号は電源部の中のコントロールリレーを
制御して電撃電気を入り切りする。
コントロール信号は安全な低電圧を使用している。
以上の構成よりなる非接地電気槍である。
【発明の効果】
【０００７】
本発明を使用することによって、電気が雨その他で漏れても、構造上
電気は図２の電極Ａ・Ｂ間を流れるだけである。
接地をしていないので人体が濡れても、人体に電気が流れて感電しない。
またコントロールスイッチが着いているので、電撃を与える直前に
電気を送れるので安全である。
【図面の簡単な説明】
【０００８】
【図１】接地方式の構成を示す全体図である。
【図２】非接地方式の構成を示す全体図である。
【図３】接地方式で人体が感電する場合の、電気の流れの側面図
【発明を実施するための形態】
【０００９】
本発明の実施形態を図面に基ずき説明する。
（イ）接続線（７）はコネクター（９）で電源部に接続されている。
（ロ）図２の電源部（１）より電撃用の電気とコントロールスイッチ（８）の信号が
接続線（７）を通り、電撃槍（２）に送られる。
（ハ）接続線（７）は電気槍（２）のパイプ構造になっているその内側を通っている。
（ニ）図２の電撃用電気の電極は、電気槍（２）の先端に電極Ａ・Ｂで設ける。
（ホ）コントロールスイッチ（８）は電撃用の電気を入り切りする。
本発明は以上の構成よりなっている。
【実施例】
【００１０】
本発明を使用する場合は、最初に電源部にコネクター（９）を差して
電源スイッチ（６）を入れる。
次に害獣に電気槍（２）を近づけてコントロールスイッチ（８）を入れて
電極Ａ・Ｂ間に電撃用の電気を送ると同時に害獣に電極を刺して
電撃を与えて動かなくなった所を捕獲する。
【符号の説明】
【００１１】
１  電源部
２  電気槍
３  電極Ａ
４  電極Ｂ
５  電極線
６  電源スイッチ
７  接続線
８  コントロールスイッチ
９  コネクター
１０  接地部
【図１】
2018191572.tif 000003
【図２】
2018191572.tif 000004
【図３】
2018191572.tif 000005
(57)【要約】      （修正有）【課題】くくり罠のロック操作の容易なねじロック式押しばね罠を提供する。【解決手段】前パイプガード１の片側にメスネジ６を取り付けて、後パイプガード２の片側にはオスネジ５を取り付ける。さらに、押しばね３の内側にパイプ芯棒４を通す。【選択図】図３
2018191549.tif 000002
【特許請求の範囲】
【請求項１】
前パイプガード（１）の片側と後パイプガード（２）の片側にオスネジとメスネジを
取り付けた構造を有するパイプガード。
【請求項２】
押しばね（３）の内側にパイプ芯棒を取り付けた構造を有するパイプガード。
【発明の詳細な説明】
【技術分野】
【０００１】
本発明は押しばね方式の、くくり罠の構造に関するものである。
【背景技術】
【０００２】
従来はバネを縮めて、そのバネが戻らないようにするために
ピンを刺したり、足くくり部をセットしてワイヤー止めでロックしている。
【先行技術文献】
【特許文献】
【０００３】
【特許文献１】不明
【非特許文献】
【０００４】
【非特許文献１】不明
【発明の概要】
【発明が解決しようとする課題】
【０００５】
（イ）バネを押して縮めるのに相当の力がいるので
ピンを刺してロックしようとすると非常にやりにくい。
（ロ）罠のくくり部をセットしてワイヤー止め（９）を
止める方法はやりにくい。
本発明は、以上の問題点を解決するために発明されたものである。
【課題を解決するための手段】
【０００６】
本方式では図１の前パイプガード（１）の片側にメスネジを取り付けて
後パイプガード（２）の片側にはオスネジを取り付ける。
押しばね（３）の内側にパイプ芯棒（４）を通す。
以上の構成よりなるねじロック式押しばね罠。
【発明の効果】
【０００７】
本発明は、よりもどし部を固定して、後パイプガード（２）を引っ張って
バネを縮めて、前パイプガード（１）と接触すると、前パイプガードと
後パイプガードを持って数回ひねるだけでロックでき
簡単に押しばね（３）をセットできる。
押しばね（３）は縮めると、曲がってパイプガード内側壁面を押さえて抵抗が増すが
パイプ芯棒（４）がある事によって押しばねはパイプに沿って縮むので曲がらず、
ばねがパイプガード内側壁面に当たらない分、抵抗が減少する。
【図面の簡単な説明】
【０００８】
【図１】本発明の構成を示す全体図。
【図２】前パイプガード（１）と、後パイプガード（２）のロック状態の斜視図
【図３】ロックしたパイプガードとパイプ芯棒の内部構造斜視図。
【図４】パイプガードの内部の位置関係を示した斜視図。
【発明を実施するための形態】
【０００９】
本発明の実施形態を図面に基づき説明する。
（イ）図１の前パイプガード（１）の片側にメスネジを付ける。
後パイプガード（２）の片側にはオスネジを付ける。
（ロ）押しばね（３）の内側には図３のようにパイプ芯棒（４）が入っている。
本発明は以上の構成よりなっている
【実施例】
【００１０】
本発明を使用する場合は、よりもどし部を固定し、後パイプガード（２）を持って
前パイプガード（１）の方に引張って、押しばね（３）を縮める。
縮めて行くとパイプガード同士が当たるので、ネジを締めるように回すと
ネジが入って、前パイプガード（１）と後パイプガード（２）がつながり
前・後パイプガードがロックされる。
次に罠のくくり部とワイヤー止めでセットする。
最後にパイプガードのネジ部をゆっくり回して戻し、
パイプガード（１）とパイプガード（２）が離れるとバネがきいて
くくり罠がセット出来る。
【符号の説明】
【００１１】
１  前パイプガード
２  後パイプガード
３  押しばね
４  パイプ芯棒
５  オスネジ部
６  メスネジ部
７  よりもどし
８  ワイヤークリップ
９  ワイヤー止め
１０  くくり金具
１１  ワイヤー  
【図１】
2018191549.tif 000003
【図２】
2018191549.tif 000004
【図３】
2018191549.tif 000005
【図４】
2018191549.tif 000006
(57)【要約】【課題】    従来の布団支持具では、掛布団に対して縦方向にすき間が出来る、すき間が多すぎて足元が冷えるのである。【解決手段】掛布団受台は、台を平行に並べて置き、台に２か所の穴を開けて、台と台がつながるようにアームを穴に差し込むと出来上がるのである。掛布団受台に布団を掛けた時、布団内がドームのようになる。中に入り寝ると、手足が動かしやすい、寝返りも容易にできる。又、上に向き膝を立てた時アームとアームの間に膝を立てることが出来のである。アームとアームの間にクッションを付けることで横向きになり、膝関節を載せた時に和らげることができる。【選択図】    図１
2018099402.tif 000002
【特許請求の範囲】
【請求項１】
木製又はプラスチック製の台1を平行に置き、双方の台１の上面に２か所の穴をあけ、アーム2が平行になるように台1にアーム2を差し込み、さらに台１の上のアーム2とアーム2の間にクッション3を取り付けた事を特徴とする掛布団受台。
【発明の詳細な説明】
【技術分野】
【０００１】
本発明は一般家庭に使用する、掛布団受台に関する。
【背景技術】
【０００２】
特許文献1ではこの手の支特具は膝から下に空間があり足元が冷える、又、足元が高いので掛布団と敷布団の間にすき間が出来ないようにする必要があるので掛布団を普通より長くする必要がある、又、竿状になっているため布団が三角状に垂れるため寝返りをすると掛布団がずれ動く事がある。
【先行技術文献】
【特許文献】
【０００３】
【特許文献１】実用新案登録    第3043988号  公報
【発明の概要】
【発明が解決しようとする課題】
【０００４】
特許文献1のように従来技術では、掛布団に対して縦方向にすき間が出来る、すき間が多すぎて足元が冷えるのである。
【課題を解決するための手段】
【０００５】
図１のように木製又はプラスチック製の台1を平行に置き、双方の台１の上面に２か所の穴をあけ、アーム2が平行になるように台1にアーム2を差し込み、さらに台の上のアーム2とアーム2の間にクッション3を取り付けた事を特徴とする掛布団受台を得る。
【発明の効果】
【０００６】
本発明は、ドーム型アームとアームの間を近くしてあるため手足が動かしやすく寝返りをする時も布団に触れる部分が少ないために布団がずれ動かないのである。掛布団受台の間に入り寝る時も狭い感じがしないのである。
【０００７】
電気毛布を着せても体に触れる部分が少ないため低温火傷がしにくいのである。又、布団を重ね着をする事で暖かくなり電気毛布は必要ないのである。小さな子供を寝かす時、掛布団受台を使用すれば大人が使用する布団で寝かす事が出来る、台を頭の上寄りにして布団は顔に掛からないようにすれば、子供の窒息死を防ぐ事が出来るのである。年老いて体が衰弱して来ると布団が重たく感じてくるこうした時、本発明の掛布団受台が役に立つ布団を何枚も重ね着しても空洞があり重りを感じないのである。省エネも効果大である。
【０００８】
従来の技術とは違い掛け布団受台はアーチ形をしており布団内が丸くドーム型のようになる為、熱がこもりやすく暖かくなる、寝返りがしやすく布団がずれにくいのが特徴である。
最近の布団は軽いのではあるがあまり暖かくない冬の寒いとき布団を重ね着する時に重りを軽減することが出来る。
【図面の簡単な説明】
【０００９】
【図１】本発明の出来上がり斜視図
【図２】台１に二ヶ所、穴を開けた斜視図
【図３】台１の間にクッション3を取り付けた斜視図
【図４】掛布団受台に布団を乗せた斜視図
【発明を実施するための形態】
【００１０】
以下、本発明の実施の形態を図１〜図4に基づいて説明する。
【００１１】
図１の斜視図のように木製の台３０ｘ１２０ｘ５００ミリの上面２か所に直径１２ミリで深さ１１０ミリの穴２か所を開ける。穴と穴の間を４００ミリを取りように２つの穴を開ける。また、台と台の幅を６００ミリになるようにアーム２本を穴にいれ取り付ける。アームとアームの間の台の上面にスポンジクッションを接着剤で取り付けるのである。
以上のようにすると掛布団受台が仕上がる。アーム３の高さは台１の下からアーム３の上までが３５０ミリとする事で、シングルサイズ布団がちょうど良い高さになり、又、太くて大きな人は一回り大きなセミダブルサイズ布団にしても良い。
【００１２】
図2の台１に開けた直径１２ミリの穴にアーム３の下部を１１０ミリ、台１の穴に差し込む深さがあれば、布団を引っ張ってもアームが倒れないのである。
【００１３】
図４のように台と台の間に人が入り寝る。寝た時に掛布団受台がちょうど良い位置に来るように動かし、足元、腕の位置に良いと思った所に設置する。横向きに寝る時、膝関節をクッション部分に載せる事が出来、腰痛の解消になり快適に寝ることが出来る。寝ぐせの悪い人や子供には台１が歯止めとなり布団がずれることがない。掛布団受台は、横には移動しにくい、前後には動かしやすい、ちょうど良い頃合いは寝る人の腰のあたりである。
【００１４】
以上のように使用した後、季節が変わり要らなくなったときは台を斜めにして二つの台をくっつけてしまう、又は、アームを外してバラしてカタズケる事が出来るのである。
【符号の説明】
【００１５】
・  台
・  アーム
・  クッション
・  ふとん
・  シーツ
【図１】
2018099402.tif 000003
【図２】
2018099402.tif 000004
【図３】
2018099402.tif 000005
【図４】
2018099402.tif 000006
(57)【要約】【課題】椅子に座って背筋を真直ぐにする習性を身に付けるため、座席と２本の前脚、２本の後脚、前脚に固定する１枚の板を使用した椅子に座って、背筋が真直ぐに近付く椅子の提供を目標とする。【解決手段】座席Ｂに座り一方の足を前方に出し、他方の足の履物Ｆの前踵部Ｈ１を板Ｄの上方の縁Ｄ１に掛けると背筋真直ぐの姿勢に近づき、片足又は両足の履物Ｆの前踵部Ｈ１を縁Ｄ１に掛けると更に姿勢が良くなり、片足又は両足を掛けながら座席Ｂの座る位置を前にすると背筋を真直ぐにせざるをえない姿勢になる。【選択図】図１
2018099490.tif 000002
【特許請求の範囲】
【請求項１】
猫背矯正の方法として立っている場合、一方の足を前方に、他方の足を後方にして足幅を広げると背筋真直ぐの姿勢になるのを応用し、４脚の椅子に座って姿勢を真直ぐにするため、一方の足を前方に他方の足の膝を折って足指を後方の床に置くと背筋真直ぐにする働きが生じるが、副作用として床に接触する後方の足指に足の重さの負担と脹脛の筋肉に張りが生じるので、足指が床に接触しないよう対策することを特徴とする猫背対策椅子。
【請求項２】
請求項１の足指が床に接触しない４脚の椅子に関し、両前脚に長方形の板を固定し、固定する板の高さは板の上辺の縁に履物の踵部を掛けて履物の先が床に触れない位置とし、片足又は両足の履物の踵を掛ける板を前脚に固定したことを特徴とする猫背対策椅子。
【請求項３】
請求項２の板の上辺の縁は素足の踵が置けるよう円形状にして素足、踵の無い履物も使用出来ることを特徴とする猫背対策椅子。
【請求項４】
椅子に座り片足又は両足の履物の踵を板の縁に掛けると、背筋が真直ぐに近付き、板の縁に掛けながら座席の座る位置を前にすると、ますます背筋が真直ぐになることを特徴とする猫背対策椅子。
【請求項５】
請求項２で両前脚に長方形の板を固定する代りに、同位置に曲がりづらい円棒を固定して請求項４と同じ結果になることを特徴とする猫背対策椅子。
【発明の詳細な説明】
【技術分野】
【０００１】  本考案は自分は猫背であること又は猫背になりたくないと思う人に椅子使用による猫背対策に関することである。
【背景技術】
【０００２】  背筋を真直ぐにする方法は自分の意志と行動であるが何故か持続せず、猫背を治す方法としてゴム製品等で背中を反らす方法があるが日常生活で煩わしいのか一般に普及せず、椅子によって猫背を治す方法は大多数の人は聞いた事が無い。
【発明の開示】
【発明が解決しようとする課題】
【０００３】  日常生活に使用する椅子により猫背が矯正されるものを提供する。
【発明を解決するための手段】
【０００４】  立ち姿で背筋を真直ぐにするため、一方の足を前方に他方の足を後方にして足幅を広げると背筋を真直ぐになるのを４脚の椅子に応用し、椅子に座った状態で片足を前に他方の足を後方にすると背筋が真直ぐに近ずく姿勢になる。
【０００５】  前項で後方の足先を床に置くと足指に足の重さが加わり脹脛の筋肉に張りが発生するのを減少させるため対策として、両前脚に長方形の板を固定し、固定する板の上辺の位置は円形状にした縁に履物の踵部を掛けて履物の先が床に触れない位置とする事により、足指に足の重さの負担と脹脛の筋肉に張の減少が発生することを特徴としている。
【０００６】  円形状の縁と同位置に、曲がりずらい円棒を固定すると、円棒は板の縁と同じ働きをするので、円棒の説明は後文の縁と同じとして省略する。
【発明の効果】
【０００７】  ４脚の椅子の前脚に長方形の板を固定し、両方の履物の踵を板の縁に掛ければ誰でも背筋が真直ぐに近付くが、通常は一方の足を前に出して前のめりを防止しながら背筋を真直ぐに近づける姿勢とする。
【０００８】  猫背矯正の椅子として使用するので背当ては必要無く、製作費を安価にする事が出来る。
【０００９】  学校教育で生徒達に背筋を真直ぐにする椅子として知らしめ使用させる事により、生徒達が背筋を真直ぐにする精神と努力を持つようになる。
【００１０】  両足を板の縁に掛け座席の座る位置を前にすると更に姿勢が真直ぐになるが、前のめり防止のため前方に机等があることを条件とする。
【図面の簡単な説明】
【００１１】
【図１】４脚の椅子の前脚に板を固定した側面図
【図２】履物の側面図
【発明を実施するための形態】
【００１２】  背筋を真直ぐにする習慣を身に付けるための椅子を座席と４本の脚と前脚に固定する板の３点で作り、背当て、補強材は必要に応じて追加するものとし、両前脚に長方形の板を固定し、座席に座り一方の足を前に出し、他方の足の履物の踵部を板の上方の縁に掛けると背筋を真直ぐの姿勢に近付き、片足又は両足の履物の踵部を縁に掛けると更に姿勢が良くなり、片足又は両足の履物を掛けながら座席の座る位置を前にすると背筋を真直ぐにせざるえない姿勢になる椅子の提供を目的としている。
【００１３】  以下、添付図面に従って実施例を説明する。図１のＡは椅子、Ｂは座席、Ｃは２本の前脚、Ｃ１は２本の後脚、Ｄは長方形の板、Ｄ１は板の縁、Ｅは床面で床面Ｅ上に椅子Ａを置いた側面図です。
【００１４】  図２の履物はＦ、爪先はＧ、踵部はＨ、前踵部はＨ１とし履物Ｆの説明に使用する。
【００１５】  図１で座席Ｂ下に２本の前脚Ｃと２本の後脚Ｃ１を備えた椅子Ａに長方形の板Ｄを２本の前脚Ｃに固定し、縁Ｄ１と床面Ｅとの距離は履物Ｆの爪先Ｇと前踵部Ｈ１の長さ位とし、縁Ｄ１と座席Ｂとの距離は履物Ｆの前踵部Ｈ１が縁Ｄ１に掛けることが出来る長さ位にして、縁Ｄ１に素足が置けるよう円形状にする。
【００１６】  椅子Ａの使用方法は前項００１２に従って使用し、素足、踵の無いスリッパ等の場合も縁Ｄ１に滑らないように置いて使用すると踵部Ｈのある履物Ｆと同じ結果が得られる。
【符号の説明】
【００１７】  Ａ      椅子
Ｂ      座席
Ｃ      前脚
Ｃ１    後脚
Ｄ      板
Ｄ１    縁
Ｅ      床面
Ｆ      履物
Ｇ      爪先
Ｈ      踵部
Ｈ１    前踵部
【図１】
2018099490.tif 000003
【図２】
2018099490.tif 000004
(57)【要約】      （修正有）【課題】磁気力と指圧力を併用して、相乗効果により、血行促進倍増させる健康ハサミを提供する。【解決手段】二個のレバーの中央に支点を設け、レバーをスライド自在にし、二個のレバーの作用点側に永久磁石８を篏設し、異極同士を対向させて設け、上段レバー１に磁石接触止め１０を設け、磁石同士の接触不能にし、上段レバーの作用点側にボルト１１を設け、ボルトにバネ１５を連結し、バネの一端を下段レバー２に連結し、磁石同士を接近習性にし、磁石により人体を指圧する事を特徴とする健康ハサミ。【選択図】図１
2018099144.tif 000002
【特許請求の範囲】
【請求項１】
二個のレバーの中央に支柱を設け、支柱同士に軸を介設し、レバーをスライド自在にし、二個のレバーの作用点側にそれぞれに凹溝を設け、凹溝に永久磁石を篏設し、異極同士を対向させて設け、磁石同士が接近可能にし、上段レバーに磁石接触止めを設け、磁石接触止めの先端を下段レバーに当て磁石と磁石の接触不能にし、上段レバーの作用点側に雌ネジを刻設し、ボルトを雌ネジに嵌め、ボルトにバネを連結し、バネの一端を下段レバーに連結し、バネの力により磁石同士を接近習性にし、ボルトを回転させて、バネの力の強弱を調整可能にし、磁石により人体を指圧する事を特徴とする健康ハサミ。
【発明の詳細な説明】
【技術分野】
【０００１】
本発明は、健康に関するものである。
【背景技術】
【０００２】
従来、磁気バンド、磁気ネックレス、磁気チップ等が知られている。
【発明の概要】
【発明が解決しようとする課題】
【０００３】
バンド、ネックレス等に磁石を付加し、身体に装着された、磁力のみの発明であり、更に、効果を上げるために、磁気力と指圧力を併用して、相乗効果により、血行促進倍増させて健康体に改善する。
本発明は、以上の問題点を解決するためになされたものである。
【課題を解決するための手段】
【０００４】
二個のレバーの中央に支柱を設け、支柱同士に軸を介設し、レバーをスライド自在にし、二個のレバーの作用点側にそれぞれに凹溝を設け、凹溝に永久磁石を篏設し、異極同士を対向させて設け、磁石同士が接近可能にし、磁石にゴムカバーを設け、上段レバーに磁石接触止めを設け、磁石接触止めの先端を下段レバーに当て磁石と磁石の接触不能にし、上段レバーの作用点側に雌ネジを刻設し、ボルトを雌ネジに嵌め、ボルトの先端にベアリングを設け、ベアリングにバネを連結し、バネの一端を下段レバーに連結し、バネの力により磁石同士を接近習性にし、ボルトの上部にクランク棒を設け、クランク棒を回転させて、バネの力の強弱を調整可能にし、磁石により人体を指圧する事を特徴とする健康ハサミ。
以上の構成よりなる健康ハサミ。
【発明の効果】
【０００５】
1・血行促進倍増により、全身の機能が活性化される。
2・特に、心臓の負担を軽減する。
3・糖尿病の場合には、足の指及び手の指に使用して壊疽防止。
4・腰痛、膝痛、肩凝り等の治療。
5・手動に付き、電気消費なし。
6・大型化にして、太腿、胴体等に最適。
7・小型化にして、携帯にも便利。
【図面の簡単な説明】
【０００６】
【図１】本発明の磁石同士が少し離れている正面図。
【発明を実施するための形態】
【０００７】
以下、本発明の実施の形態を説明する。
1・レバー（1）とレバー（2）を重ね合わせた、洗濯挟み型。
2・作用点側（4）に、レバー（1）とレバー（2）に凹溝（7）を設ける。
3・凹溝（7）に、円柱型の永久磁石（8）の約半分を篏設する。
4・永久磁石（8）に、袋型のゴムカバー（9）を設ける。
5・レバー（1）に、丸棒型の磁石接触止め（10）を設ける。
6・レバー（1）に、丸棒型のボルト（11）を設ける。
7・ボルト（11）の頭にクランク棒（12）を設ける。
8・ボルト（11）の先端に、円型のベアリング（14）を設ける。
9・ベアリング（14）にコイル型のバネ（15）を設ける。
10・バネ（15）の一端をレバー（2）に連結する。
本発明は以上のような構造である。
本発明を使用するときは。
仮に、左手に使用する時は、座って（但し、起立でも使用可）、健康ハサミの力点側を右手で持ち、膝に乗せ、右手で双方のレバーを握り締めると、作用点側が開き、開いた間に、左手の先端（爪の部分）を入れたら、右手を広げる、磁石同士が接近して左手を指圧し、その時に、指圧の力の設定方法は、クランク棒を回転させて強弱を調整し、暫く、適度な指圧を続けてから、右手で双方のレバーを握り締めて、指圧解除し、指圧と指圧解除を順次に、関節、手首、腕、二の腕等に使用する。
更に、健康ハサミが身体に挟まる部分に、指圧を使用する。
【符号の説明】
【０００８】
1上段レバー、2下段レバー、3力点側、4作用点側、5支柱、6軸、7凹溝、8永久磁石、9ゴムカバー、10磁石接触止め、11ボルト、12クランク棒、13雌ネジ、14ベアリング、15バネ、16バネ留め具、 
【図１】
2018099144.tif 000003
【手続補正書】
【提出日】平成29年4月28日(2017.4.28)
【手続補正１】
【補正対象書類名】特許請求の範囲
【補正対象項目名】全文
【補正方法】変更
【補正の内容】
【特許請求の範囲】
【請求項１】
二個のレバーの中央に支柱を設け、支柱同士に軸を介設してレバーを回動自在にし、二個のレバーの作用点側にそれぞれに凹溝を設け、凹溝に永久磁石を篏設し、異極同士を対向させて設け、磁石同士が接近可能にし、上段レバーに磁石接触止めを設け、磁石接触止めの先端を下段レバーに当て磁石と磁石の接触不能にし、上段レバーの作用点側に雌ネジを刻設し、ボルトを雌ネジに嵌め、ボルトにバネを連結し、バネの一端を下段レバーに連結し、バネの力により磁石同士が接近する方向にレバーを付勢し、ボルトを回転させて、バネの力の強弱を調整可能にし、磁石により人体を指圧する事を特徴とする健康ハサミ。
(57)【要約】      （修正有）【課題】天体による重力場を通過した際の加速度、減速度の変化によって異なる光速度の光を作る。【解決手段】人工衛星及び地球上の地点に投光器、受光器及び精密時計を設置し、人工衛星と地球上の地点の距離をどれだけの時間で通過したかを計測、計算し、光速度を求める。【選択図】図−１
2018099005.tif 000002
【特許請求の範囲】
【請求項１】
光を、地球  月  太陽  の天体による重力場を通過させることにより光速度を加速させたり減速させたりすることにより異なる光速度の光を作ることを特徴とする異なる光速度の光を作る方法に関する。
【請求項２】
地球上の地点とその地点の上に打ち上げられた人工衛星にそれぞれ投光器と受光器を設置する。
加速された光を得たい時には、人工衛星に設置された投光器から地上の地点に設置された受光器を目がけて投光し、減速された光を得たい時には、地上の地点に設置された投光器から人工衛星にに設置された受光器を目がけて投光する。
以上のように光を発射する場所を変えることにより異なる光速度の光を作ることを特徴とする異なる光速度の光を作る方法に関する。
【請求項３】
地球上の地点とその地点の上に打ち上げられた人工衛星にそれぞれ投光器と受光器を設置する。
地球上の地点とその上に打ち上げられた人工衛星との間の重力場の強度が最大となるのは、人工衛星、地球、月、太陽の順に一直線に並んだ時である。
この時に、最大に加速された光や減速された光を作ることを特徴とする異なる光速度の光を作る方法に関する。
【請求項４】
人工衛星と地球上の地点との間の重力場の強度は、人工衛星  地球  月  太陽の位置により異なる。
この異なる重力場に応じた異なる光速度の光を作ることを特徴とする異なる光速度の光を作る方法に関する。
【請求項５】
人工衛星の高度や位置により地球上の地点までの距離を加減出来るので、それに応じた異なる光速度の光を作ることを特徴とする異なる光速度の光を作る方法に関する。
【請求項６】
受光器の後工程に鏡やプリズムを設置して異なる光速度の光を採ることを特徴とする異なる光速度の光を採る方法に関する。
【請求項７】
人工衛星の位置は、地球上の地点の真上が最も重力場の影響を受けるが、水平面以上の角度であれば重力場の影響を受けるので、その角度に応じた異なる光速度の光を作ることを特徴とする異なる光速度の光を作る方法に関する。
【発明の詳細な説明】
【技術分野】
【０００１】本発明は、異なる光速度の光を作る方法に関するものである。
現代物理学では、光速度は真空中で２９万９７９２．５Ｋｍ／秒（以後光速度Ｃという）で不変であるという原理に基づいているそれを証明する実験も種々行われている。しかしこれらの実験は、光を地表面に水平に走らせている実験が全んどであり  地球  月  太陽の天体による重力場の影響を受けにくい。
影響を受けやすい地上の上下方向での実験は行われていない。本発明は、ゴルフで『カップをなめる』事象からヒントを得て光も重力場の影響を受けて加速したり減速したりすると確信した。
地球  月  太陽の位置の変化による重力場の強度の変化、人工衛星の高度の変化による重力場の通過距離（通過時間）の変化による異なる光速度の光を作ることが出来る。
【背景技術】
【０００２】アインシュタインの『光速度不変の原理』は、天体による重力場を水平にカットした面の原理あり、重力場の影響をを受けやすい垂直面及び水平以上の角度では成り立たない。
【発明が解決しようとする課題】
【０００３】天体による重力場を垂直方向に通過した際の、光速度に対する加速度、減速度の変化。
【課題を解決するための手段】
【０００４】人工衛星及び地球上の地点に投光器、受光器及び精密時計を設置し、人工衛星と地球上の地点の距離をどれだけの時間で通過したかを計測、計算し、光速度を求める。
【発明の効果】
【０００５】異なる光速度の光を得ることが出来、光通信や光コンピュータなどで利用可能になる。
【発明を実施するための最良の形態】
【０００６】光速度Ｃより速い光を得る時には人工衛星から地球上の地点へ、光速度Ｃより遅い光を得る時には地球上の地点から人工衛星へ向けて投光する。
【産業上の利用可能性】
【０００７】本発明は、光通信や光コンピュータへの利用可能性を有する。
【図面の筒単な説明】
【０００８】
【図−１】
人工衛星  地球  月  太陽が  一直線に並んだ時の模式図
【符号の説明】Ｐ    人工衛星
Ｅ    地球
Ｍ    月
Ｓ    太陽
Ｌ    人工衛星から地球上の地点に向かう光
【図−１】
2018099005.tif 000003
(57)【要約】      （修正有）【課題】内燃機に付属する起動用電機および発電装置の改良に関する。【解決手段】起動電機子捲線Ａは固定で内燃機関枠に取り付ける。回転子はフライホイールに固定されて回転軸Ｊと共に回転する。界磁捲線Ｃは発電子に対応部分は２極、起動部分は機関本体の気筒数に応じて２ないし６極程度とする。なお起動電機子捲線Ａと界磁捲線Ｃは相対的なので内側か外側かは選択できる。起動電機子捲線Ａおよび界磁捲線Ｃの結線は従来の起動用電機と同様直列とし、発電電機子捲線Ｇと対応する界磁ＧＣは従来の直流電機と同じく並列に結線する、起動電機子捲線Ａは専用継電器を介して電池に結線し、発電電機子捲線Ｇは制御装置を介して電池を充電する。【選択図】図１
2018099006.tif 000002
【特許請求の範囲】
本案は１９８９年申請実用新案−ＮＯ−１１９４８２号による考案を、内燃機関等の軸端のフライホイールに回転子を取り付け、その周辺の機関本体に起動および発電の機能を有した電気装置を固定し取り付けて、内燃機関の起動と発電をする物である。
【発明の詳細な説明】
【０００１】  この発明は内燃機に付属する起動用電機および発電装置に関するものである。
【背景技術】
【０００２】  従来内燃機関等の起動用電動機は、直流電動機を歯車で機械装置でかみ合わせ連結して、回転させて必要なトルクを発生させて内燃機を起動させて居る、また内燃機関には起動用電力や付属する照明などのために電池を充電する必要があり、そのための発電機も必要であるる。
従って内燃機関起動用電機の他に発電機も装備されている。起動用電動機は内燃機起動後は自動的に切り離された後は、全く不要の電機である、その後は発電機が必要な電機として機能されている。
【先行技術文献】
【０００３】  本案は  １９８９年申請実用新案−ＮＯ−１１９４８２号に出願した原理を応用し改良したものである。
【発明の概要】
【発明が解決しようとする課題】
【０００４】  本案は別個に起動用電動機を取り付けるのではなく、内燃機関等本体に電気的起動装置を作り込むものであり、また回転子は発電機能を共用できるので、併せて発電機能を設置する。
【課題を解決するための手段】
【０００５】  本案は上記発明（１９８９−１１９４８２号）により回転する部分を内燃機のフライホイール部分に適当な寸法で取り付ける事によって、従来の別個の起動電動機にある歯車および噛み合わせ装置、回転軸等を省略するものである。
この回転子に対応する固定部分に界磁および起動用電機子捲線を設置する、別個に発電用も同様に設置する。
起動電流は大きいのでより少ない電池等で起動するために、すなわち起動電流の過大を防ぐために、回転方向の逆方向に電機子捲線を可動としてスプリングで回転方向に支持する、起動電流で最初に起動の反動で逆方向に動いて起動させる事によって起動時の突入電流を減少し、併せて電池の消耗を防ぐ事が可能である。
【本発明の効果】
【０００６】  本案によって機関が起動回転しても歯車等は存在しないので電力の供給を絶つだけで良く歯車やかみ合い装置は不要で、以後は回転の障害にはならない、なお多少の発電能力が残るのであれば機関の回転状況の情報を出力できる、独立の回転軸等は不要である。
発電機能を有する装置は回転子を共用で、固定部分に界磁、発電捲線を別個に発電用に対応して取り付ければオルタネータ等の発電機を省略できる、この発電は直流（脈流）であるので半導体等による整流器は不要であり、別個の発電機用のベルト・プーリ・発電機等は必要ない。
【図面の簡単な説明】
【０００７】（図１、および図２参照）
【図１】は本案の構成  円筒型回転子として軸方向に直角の断面図である、なお、回転子および対抗する電気装置は円盤形も可能である（図は円筒形として２図も参照）起動電機子捲線Ａは固定で内燃機関枠に取り付ける。回転子Ｂはフライホイールに固定されて回転軸Ｊと共に回転する。界磁捲線Ｃは発電子に対応部分は２極、起動部分は（図は３極）だが機関本体の気筒数に応じて２ないし６極程度とする、回転子の構造は前記考案（１１９４８２号）と同様である、なお起動捲線と界磁は相対的なので内側か外側かは選択できる（図は界磁内側の場合）。起動捲線および対応界磁捲線の結線は従来の起動用電機と同様直列とし、発電捲線と対応する界磁は従来の直流電機と同じく並列に結線する、以後の電気結線は従来通りであり、起動用捲線は専用継電器を介して電池に結線し、発電は制御装置を介して電池を充電する。
【図２】は回転軸方向断面図で簡単に説明する、左半分の変速装置お呼び右側機関本体の気筒等は省略してある、電機本体は円筒形、で図１のように回転子の円周内外に界磁および電機子が対応して内燃機関に固定される。スプリングＳは起動時電流の突入を減少させるために起動電機子が回転と逆方向に受ける力を吸収し機関が回転を始めればスプリングに依って元の位置に戻る、本装置は電池が充分に有れば不要ではあるが、起動電機子をよりコンパクトにするためと電池の小型化或いは消耗を防ぐためには有効である、なお電機子でなく界磁に本装置をしても同様の効果を得られる。なお回転子はフライホイールと同時に常に回転するので強固に固定する、重量はフライホイール質量に加算される。起動電機子は機関始動後は電気回路から切り離されるが、界磁により常に多少の電圧を発生する場合も有るので機関の回転状況の情報を得ることができる。発電捲線の電圧等は制御装置内で界磁電圧を適当に調整するのは従来機関（ダイナモ等）と同様であり直流であるので半導体等による整流器は不要である
【図１】
2018099006.tif 000003
【図２】
2018099006.tif 000004
(57)【要約】【課題】ワークポジショナーでのターンテーブルの回転速度を容易に制御できるようにする。【解決手段】ターンテーブル(１)を台盤(２)に回転可能な状態で配置するとともに、ターンテーブル(１)の回転軸(３)を台盤(２)に対して揺動可能に組み込み、ターンテーブル(１)に溶接ワークを固定し、溶接ワークを固定したターンテーブル(１)の台盤(２)に対する姿勢を制御するように構成し、ターンテーブル(１)の回転数をデジタル表示する表示器(５)を有する回転数制御装置(４)で制御するように構成した。【選択図】図１
2018099702.tif 000002
【特許請求の範囲】
【請求項１】
ターンテーブル(１)を台盤(２)に回転可能な状態で配置するとともに、ターンテーブル(１)の回転軸(３)を台盤(２)に対して揺動可能に組み込み、ターンテーブル(１)に溶接ワークを固定し、溶接ワークを固定したターンテーブル(１)の台盤(２)に対する姿勢を制御するように構成し、ターンテーブル(１)の回転数をデジタル表示する表示器(５)を有する回転数制御装置(４)で制御するように構成したことを特徴とするワークポジショナーでの回転制御方法。
【発明の詳細な説明】
【技術分野】
【０００１】
本発明は、溶接ワークをターンテーブルに固定し、ターンテーブルを回転させながらワークを溶接作業する際に使用するワークポジショナーでの回転制御方法に関する。
【背景技術】
【０００２】
一般に、ワークポジショナーでは、ターンテーブルを台盤に回転可能な状態で配置するとともに、ターンテーブルを台盤に対して揺動可能に組み込み、ターンテーブルに溶接ワークをチャックやバイスなどの固定具を使用して固定し、溶接ワークを固定したターンテーブルの姿勢を変化させるとともに、ターンテーブルの回転数をあらかじめ設定した回転数で回転させながら、溶接作業を行うようになっている。
【０００３】
従来、この種のワークポジショナーのターンテーブル回転数は、搭載されているターンテーブルの回転駆動源での定格出力を基準にして、何パーセントの出力にするかを設定してターンテーブルの使用回転数としていた。
【先行技術文献】
【特許文献】
【０００４】
【特許文献１】特開平１０−２１７１５４号公報
【特許文献２】実開昭６１−６３３９７号公報
【発明の概要】
【発明が解決しようとする課題】
【０００５】
溶接作業に使用するワークポジショナーの場合、多層溶接するワークを保持することがある。多層盛溶接の場合、各パスでの溶接速度が異なることになるが、開先容積の違いから最高出力に対する出力割合でターンテーブルの回転数を決定する従来の方式では、回転数の調整が困難であった。
【０００６】
本発明は、このような問題点に鑑みてなされたもので、ワークポジショナーでのターンテーブルの回転速度を容易に制御することのできるワークポジショナーでの回転制御方法を提供することを目的とする。
【課題を解決するための手段】
【０００７】
上述の目的を達成するために、請求項１に記載の本発明は、ワークポジショナーでのターンテーブルの回転数をデジタルで設定するようにしたことを特徴としている。
具体的には、ターンテーブル(１)を台盤(２)に回転可能な状態で配置するとともに、ターンテーブル(１)の回転軸(３)を台盤(２)に対して揺動可能に組み込み、ターンテーブル(１)に溶接ワークを固定し、溶接ワークを固定したターンテーブル(１)の台盤(２)に対する姿勢を制御するように構成し、ターンテーブル(１)の回転数をデジタル表示する表示器(５)を有する回転数制御装置(４)で制御するように構成したことを特徴とするワークポジショナーでの回転制御方法である。
【発明の効果】
【０００８】
本発明では、ターンテーブルの回転数をデジタル制御するようにしているので、保持している溶接ワークの素材種類や開先の寸法に最適な回転数を容易に設定することができる。
【図面の簡単な説明】
【０００９】
【図１】ワークポジショナーのターンテーブルを水平姿勢にした状態での側面図である。
【図２】ワークポジショナーのターンテーブルを垂直姿勢にした状態での側面図である。
【発明を実施するための形態】
【００１０】
このワークポジショナーは、ターンテーブル(１)を台盤(２)に回転可能な状態で配置するとともに、ターンテーブル(１)の回転軸(３)を台盤(２)に対して揺動可能に組み込み、ターンテーブル(１)に溶接ワークをチャックやバイスなどの固定具を使用して固定し、溶接ワークを固定したターンテーブル(１)の台盤(２)に対する姿勢を変化させるとともに、ターンテーブル(１)をあらかじめ設定した回転数で回転させて溶接するようにしてある。
【００１１】
ターンテーブル(１)は、回転軸(３)が図１，図２の紙面に沿う垂直面内で上下に揺動するとともに、回転軸(３)の中心軸周りに回転駆動するように形成してあり、ターンテーブル(１)を図１に示す水平姿勢、図２に示す垂直姿勢およびそれらの間の任意の傾斜角度の傾斜姿勢となる位置に姿勢変更することができる。従ってターンテーブル(１)に固定した溶接ワークを溶接作業の行い易い任意の姿勢に保持した状態で回転駆動できるようになっている。
【００１２】
ターンテーブル(１)に回転電動力を付与する回転駆動源である電動モータ（例えばＤＣモータ、ＡＣサーボモータ、インバータモータなど）への給電回路には、ターンテーブル(１)の回転数制御装置(４)が配置してあり、この回転数制御装置(４)は、回転ターンテーブル(１)の回転数（単位：ｒｐｍ）をデジタル表示する表示器(５)と、この表示器(５)のデジタル表示を設定する設定ダイアル(６)とを有している。そしてこの設定ダイアル(６)を操作することでターンテーブル(１)の回転数をプリセットにより設定できるようにしてある。
【００１３】
したがって、ターンテーブル(１)に固定されている溶接ワークを所望の回転数で回転させることができるから、溶接速度が一定化して入熱量・溶着量が安定する。また、多層盛り溶接時に先行溶接層と次層溶接層で開先空間のボリュームが異なっていても、溶接速度(テーブル回転数)を最適に設定できることになるから綺麗な溶接を行うことができる。
【符号の説明】
【００１４】
１…ターンテーブル、２…台盤、３…回転軸、４…回転数制御装置、５…表示器、６…設定ダイアル。
【図１】
2018099702.tif 000003
【図２】
2018099702.tif 000004